(57)【特許請求の範囲】
【請求項１】
微小な発光部を有する光源素子から放射される光ビームの方向を調整する方法であって、少なくとも一部に円筒面を有する保持手段により、光源素子を、放射光ビームの方向が上記円筒面の軸に非平行となるようにして、固定的に保持し、上記保持手段の円筒面の母線方向に平行な１対の係合縁部を有する受け部材に、上記円筒面を係合させ、この係合関係を保ちつつ、上記保持手段を上記円筒面の軸の回りに回転させることにより上記放射光ビームの方向を調整することを特徴とする光ビーム方向調整方法。
【請求項２】
微小な発光部を有する光源素子から放射される光ビームの方向を調整可能な光源ユニットであって、
微小な発光部を有する光源素子と、
少なくとも一部に円筒面を有し、上記光源素子を、放射光ビームの方向が上記円筒面の軸に非平行となるようにして、固定的に保持する保持手段と、
上記保持手段の円筒面の母線方向に平行な１対の係合縁部を有し、この係合縁部に上記円筒面を係合させ、且つ、この係合関係を保ちつつ、上記保持手段を、上記円筒面の軸の回りに回転可能な状態で受ける受け部材とを有することを特徴とする光源ユニット。
【請求項３】
請求項２記載の光源ユニットにおいて、
光源素子から放射される光ビームをカップリングするカップリングレンズが保持手段に保持されることを特徴とする光源ユニット。
【請求項４】
請求項２または３記載の光源ユニットにおいて、
光源素子の微小な発光部が実質的に、保持手段の円筒面の軸上に位置し、放射光ビームの主光線が上記円筒面の軸に直交することを特徴とする光源ユニット。
【請求項５】
請求項２〜４の任意の１に記載の光源ユニットにおいて、
光源素子が半導体レーザであることを特徴とする光源ユニット。
【請求項６】
請求項５記載の光源ユニットにおいて、
光源素子から放射される光ビームをカップリングするカップリングレンズを有し、このカップリングレンズの作用がコリメート作用であることを特徴とする光源ユニット。
【請求項７】
複数の光源からの複数の光ビームを偏向させ、共通の走査結像光学系により被走査面上に導光して、副走査方向に分離した複数の光スポットを形成し、これら複数の光スポットにより複数走査線を走査するマルチビーム走査装置において、
光ビームを放射する光源ユニットを複数ユニット有し、これら複数の光源ユニットの１以上が請求項２〜６の任意の１に記載の光源ユニットであることを特徴とするマルチビーム走査装置。
【請求項８】
請求項７記載のマルチビーム走査装置において、
各光源ユニットから放射された光ビームを、マルチビーム用の光ビーム群としてビーム合成するビーム合成手段を有することを特徴とするマルチビーム走査装置。
【発明の詳細な説明】
【０００１】
【発明の属する技術分野】
この発明は、光ビーム方向調整方法、光源ユニット及びマルチビーム走査装置に関する。
【０００２】
【従来の技術】
近来、光プリンタや光製版装置、光描画装置等の画像形成装置に用いられる光走査装置において、一度に複数の走査線を走査する「マルチビーム走査方式」が提案され、実用化されつつある。
【０００３】
このようなマルチビーム走査方式には、各光スポットが隣接する走査線を走査する「隣接走査方式」と、副走査方向に隣接する光スポットが、１以上の走査線を飛び越して走査する「飛び越し走査方式」とがあるが、何れの走査方式においても、良好なマルチビーム走査を行うには、「走査線ピッチ」即ち、隣接する光スポットの副走査方向の間隔が適正に設定されねばならない。
【０００４】
走査線ピッチの調整を行う方法としては、光源から放射される光ビームの方向を調整するのが最も直接的で確実である。
【０００５】
光ビームの方向の調整はまた、マルチビーム走査に限らず、通常のシングルビーム走査方式の場合にも必要であるし、光走査装置に限らず、種々の光学装置においても重要である。
【０００６】
【発明が解決しようとする課題】
この発明は、容易且つ確実に光ビームの方向を調整できる光ビーム方向調整方法の実現を課題とする。この発明はまた、上記光ビーム方向調整方法を実施できる光源ユニットおよびこの光源ユニットを用いるマルチビーム走査装置の実現を課題とする。
【０００７】
【課題を解決するための手段】
この発明の光ビーム方向調整方法は「微小な発光部を有する光源素子から放射される光ビームの方向を調整する方法」である。
請求項１記載の光ビーム方向調整方法は以下の如き特徴を有する。
即ち、「少なくとも一部に円筒面を有する保持手段」により、光源素子を「放射光ビームの方向が円筒面の軸に非平行となる」ようにして固定的に保持する。
【０００８】
保持手段の円筒面の母線方向に平行な１対の係合縁部を有する受け部材に、保持手段の円筒面を係合させ、この係合関係を保ちつつ、保持手段を円筒面の軸の回りに回転させることにより放射光ビームの方向を調整する。
【０００９】
「受け部材に、保持手段の円筒面を係合させる」とは、保持手段の円筒面を、受け部材の１対の係合縁部の各々に、係合縁部の長手方向に沿って密着させることを意味する。従って、係合関係を保って保持手段を円筒面の軸の周りに回転させても、上記軸は空間的に同位置に留まる。
【００１０】
光ビーム方向調整方法の参考例は以下の如き特徴を有する。即ち、「少なくとも一部に球面を有する保持手段」により、光源素子を固定的に保持する。
【００１１】
保持手段の球面に係合する円状係合縁部を有する受け部材に、保持手段の球面を係合させ、この係合関係を保ちつつ、保持手段を回転させることにより放射光ビームの方向を調整する。
【００１２】
受け部材の「円状係合縁部」は、円状の係合縁部のみならず、円弧状の係合縁部をも含み、円弧状の係合縁部の場合は、同一の円の部分を切り欠いた複数の円弧状部分からなっていてもよい。
【００１３】
「受け部材に、保持手段の球面を係合させる」とは、保持手段の球面を、受け部材の円状係合部に、縁部に沿って密着させることを意味する。従って、係合関係を保って保持手段を回転させても、球面の中心(球心)の位置は空間的に不変である。
【００１４】
この発明の光源ユニットは「微小な発光部を有する光源素子から放射される光ビームの方向を調整可能な光源ユニット」である。
【００１５】
請求項２記載の光源ユニットは、光源素子と、保持手段と、受け部材とを有する。「光源素子」は、微小な発光部を有し、光ビームを放射する。「保持手段」は、少なくとも一部に円筒面を有し、光源素子を、放射光ビームの方向が円筒面の軸に非平行となるようにして、固定的に保持する。
【００１６】
「受け部材」は、保持手段の円筒面の母線方向に平行な１対の係合縁部を有し、この係合縁部に保持手段の円筒面を係合させ、且つ、この係合関係を保ちつつ、保持手段を「円筒面の軸の回りに回転可能な状態」で受ける。
【００１７】
この請求項２記載の光源ユニットにおいて、「光源素子から放射される光ビームをカップリングするカップリングレンズ」を保持手段に保持させることができる（請求項３）。また、請求項２または３記載の光源ユニットにおいて「光源素子の微小な発光部を実質的に、保持手段の円筒面の軸上に位置させ、放射光ビームの主光線が上記円筒面の軸に直交するようにすることができる（請求項４）。
【００１８】
光源ユニットの参考例は、光源素子と、保持手段と、受け部材とを有する。
「光源素子」は、微小な発光部を有し、光ビームを放射する。「保持手段」は、少なくとも一部に球面を有し、光源素子を固定的に保持する手段である。
【００１９】
「受け部材」は、保持手段の球面に係合する円状係合縁部を有し、保持手段の球面を係合させ、且つ、この係合関係を保ちつつ、保持手段を「２以上の方向に回転可能な状態、即ち、球心を通る任意の２以上の軸の回りに回転可能な状態」で受ける。
【００２０】
この参考例の光源ユニットにおいて「光源素子から放射される光ビームをカップリングするカップリングレンズ」を保持手段に保持させることができる。また、参考例の光学ユニットにおいて「光源素子の微小な発光部が実質的に、保持手段の球心に位置する」ようにすることができる。
【００２１】
上記カップリングレンズの作用は、カップリング後の光ビームを、弱い発散性あるいは弱い集束性とする作用でも良いし、平行ビームとする作用でも良い。
【００２２】
上記請求項２〜４の任意の１に記載の光源ユニットにおいて、光源素子としては「半導体レーザ」が好適である（請求項５）。この請求項５記載の光源ユニットの場合、光源素子から放射される光ビームをカップリングするカップリングレンズを有することができ、カップリングレンズの作用をコリメート作用とすることができる（請求項６）。
【００２３】
この発明のマルチビーム走査装置は「複数の光源からの複数の光ビームを偏向させ、共通の走査結像光学系により被走査面上に導光して、副走査方向に分離した複数の光スポット（これら複数の光スポットは、主走査方向には互いに分離していても良いし、分離せずに副走査方向に同一線上に配列していても良い）を形成し、これら複数の光スポットにより複数走査線を走査するマルチビーム走査装置」であって、光ビームを放射する光源ユニットを、複数ユニット有し、これら複数の光源ユニットの１以上が請求項２〜６の任意の１に記載の光源ユニットであることを特徴とする（請求項７）。
【００２４】
被走査面は、実体的には、光導電性の感光体等の感光媒体の感光面である。
【００２５】
上記請求項７記載のマルチビーム走査装置は「各光源ユニットから放射された光ビームを、マルチビーム用の光ビーム群としてビーム合成するビーム合成手段」を有することができる（請求項８）。
【００２６】
勿論、上記請求項２〜６の任意の１に記載の光源ユニットは、マルチビーム走査装置以外に、シングルビーム走査装置の光源用にも用いることもできるし、光走査装置以外の光学装置の光源用に用いることもできる。
【００２７】
【発明の実施の形態】
図１（ａ）において、符号１は光源素子としての半導体レーザ、符号２はカップリングレンズ、符号符号３Ａは保持手段、符号４Ａは受け部材、符号５Ａは固定部材、符号６Ａは固定手段を示している。
【００２８】
保持手段３Ａの符号３Ａ１１で示す部分は「円筒面」となっており、半導体レーザ１とカップリングレンズ２とは、保持手段の一部をなす適宜の固定手段６Ａにより保持手段３Ａに固定的に保持されている。また、保持手段３Ａの破線で示す部分は「光ビーム射出用の開口部３Ａ０」となっている。
【００２９】
この例において、半導体レーザ１の微小な発光部は、実質的に円筒面３Ａ１１の軸（図面に直交する方向を向いている）上に配置され、放射される発散性の放射光ビームの方向（主光線の方向）が上記軸に直交する方向を向くように配置態位を設定されている。
【００３０】
また、カップリングレンズ２は、半導体レーザ１からの放射光ビームを実質的な平行光ビームに変換する「コリメートレンズ」である。
受け部材４Ａは、図１（ｂ）に示すように矩形形状の開口孔を有し、この開口孔の保持手段側の縁部のうち、図１（ｂ）で上下の縁部４Ａ１１が、保持手段３Ａの円筒面３Ａの母線方向（図１（ａ）で図面に直交する方向）に平行な１対の係合縁部をなしている。そして、これら１対の係合縁部４Ａ１１は、図１（ａ）に示すように保持手段３Ａの円筒面に（円筒面の母線方向にわたって）係合（接触）しているが、保持手段３Ａは、上記係合関係を保ちつつ（即ち、円筒面３Ａ１１を常に係合縁部４Ａ１１に接触させた状態で）、円筒面３Ａ１１の軸の回りに、任意の向き（時計回り・反時計回り）に回転可能である。
【００３１】
即ち、図１に実施の形態を示す光源ユニットは、微小な発光部を有する光源素子１から放射される光ビームの方向を調整可能な光源ユニットであって、微小な発光部を有する光源素子１と、少なくとも一部に円筒面３Ａ１１を有し、光源素子１を、放射光ビームの方向が円筒面３Ａ１１の軸に非平行となるようにして、固定的に保持する保持手段３Ａと、保持手段の円筒面３Ａ１１の母線方向に平行な１対の係合縁部４Ａ１１を有し、この係合縁部４Ａ１１に円筒面３Ａ１１を係合させ、且つ、この係合関係を保ちつつ、保持手段３Ａを、円筒面３Ａ１１の軸の回りに回転可能な状態で受ける受け部材４Ａとを有する（請求項２）。
【００３２】
また、光源素子１から放射される光ビームをカップリングするカップリングレンズ２が保持手段３Ａに保持され（請求項３）、光源素子１の微小な発光部が実質的に、保持手段３Ａの円筒面の軸上に位置し、放射光ビームの主光線が円筒面３Ａの軸に直交する（請求項４）。
【００３３】
また、光源素子１は半導体レーザであり（請求項５）、カップリングレンズ２の作用がコリメート作用である（請求項６）。
【００３４】
図１の実施の形態において、半導体レーザ１とカップリングレンズ２とは保持手段３Ａに固定されているので、半導体レーザ１から放射され、カップリングレンズ２によりコリメートされた平行光ビームは、光ビーム射出用の開口部３Ａ０から射出して、受け部材４Ａの開口部を通過する。
【００３５】
保持手段３Ａを、円筒面３Ａ１１の受け部材４Ａの１対の係合縁部４Ａ１１に係合させつつ、円筒面３Ａ１１の軸の周りに回転調整することにより、保持手段３Ａから射出する光ビームの方向を、図１（ａ）の図面内で調整することができる。このとき、半導体レーザの微小な発光部は円筒面３Ａ１１の軸上に位置するので、光ビームの方向を「軸を中心として回転」するように調整することができる。図１（ｂ）に矢印で示す方向は、この調整による光ビームの方向変化が起こる向きを示している。
【００３６】
即ち、図１の光源ユニットでは、微小な発光部を有する光源素子１から放射される光ビームの方向を調整する方法であって、少なくとも一部に円筒面３Ａ１１を有する保持手段３Ａにより、光源素子１を、放射光ビームの方向が円筒面の軸に非平行となるようにして、固定的に保持し、保持手段３Ａの円筒面３Ａ１１の母線方向に平行な１対の係合縁部４Ａ１１を有する受け部材４Ａに、円筒面３Ａ１１を係合させ、この係合関係を保ちつつ、保持手段３Ａを円筒面３Ａ１１の軸の回りに回転させることにより放射光ビームの方向を調整する光ビーム方向調整方法（請求項１）が実施されることになる。
【００３７】
光ビームの方向調整を行った後は、適宜の固定部材５Ａにより、保持手段３Ａと受け部材４Ａとの位置関係を固定する。
上の実施の形態では、半導体レーザ１の微小な発光部を円筒面３Ａ１１の軸位置に位置させたが、発光部を、上記軸位置から外して位置させることもできる。
【００３８】
例えば、カップリングレンズ２の光軸が円筒面３Ａ１１の軸と直行するようにし、微小な発光部が、上記軸から外れた位置で、上記光軸上に位置するようにしても良い。この場合、カップリングレンズ２の作用をコリメート作用とすれば、図１の実施の形態と同様のビーム方向調整を行うことができる。
【００３９】
カップリングレンズ２のカップリング作用が、コリメート作用でない場合には、微小な発光部が円筒面３Ａ１１の軸位置にあるようにすると、発光部の位置を不変に保ちつつ、光ビームの方向のみを調整することができる。
【００４０】
また、上の説明では、半導体レーザ１から放射される光ビームが、円筒面３Ａ１１の軸に直行する場合を説明したが、半導体レーザ１から放射される光ビームの方向が、図１（ａ）の図面に直交する方向に成分を有するようにしてもよい。この場合、光ビームは図１（ａ）の図面に直交する方向に成分を持って射出することになるが、例えば、微小な発光部が円筒面３Ａ１１の軸上に位置するようにすると、保持手段３Ａの回転調整により、光ビームの方向を、円筒面３Ａ１１の軸の回りに歳差運動のように変化させることができる。
【００４１】
図２（ａ）において、符号１は光源素子としての半導体レーザ、符号２はカップリングレンズ、符号符号３Ｂは保持手段、符号４Ｂは受け部材、符号５Ｂは固定部材、符号６Ｂは固定手段を示している。
【００４２】
保持手段３Ｂの符号３Ｂ１１で示す部分は「球面」となっており、半導体レーザ１とカップリングレンズ２とは、保持手段の一部をなす適宜の固定手段６Ｂにより保持手段３Ｂに固定的に保持されている。また、保持手段３Ｂの破線で示す部分は「光ビーム射出用の開口部３Ｂ０」となっている。
【００４３】
この例において、半導体レーザ１の微小な発光部は、実質的に球面３Ｂ１１の中心（球心）に配置されている。
【００４４】
また、カップリングレンズ２は、半導体レーザ１からの放射光ビームを実質的な平行光ビームに変換する「コリメートレンズ」である。
受け部材４Ｂは、図２（ｂ）に示すように円形状の開口孔を有し、この開口孔の保持手段側の縁部４Ｂ１１は「円状係合縁部」をなしている。そして、この円状係合縁部４Ｂ１１は、図２（ａ）に示すように保持手段３Ｂの球面に係合（密着）しているが、保持手段３Ｂは、この係合関係を保ちつつ（即ち、球面３Ｂ１１を常に円状係合縁部４Ｂ１１に接触させた状態で）、自由に回転可能である。
【００４５】
即ち、図２に実施の形態を示す光源ユニットは、微小な発光部を有する光源素子１から放射される光ビームの方向を調整可能な光源ユニットであって、微小な発光部を有する光源素子１と、少なくとも一部に球面３Ｂ１１を有し、光源素子１を固定的に保持する保持手段３Ｂと、この保持手段３Ｂの球面に係合する円状係合縁部４Ｂ１１を有し、球面３Ｂ１１を係合させ、且つ、この係合関係を保ちつつ、保持手段３Ｂを、２以上の方向に回転可能な状態で受ける受け部材４Ｂとを有する光源ユニット（前記参考例の光源ユニット）である。
【００４６】
また、光源素子１から放射される光ビームをカップリングするカップリングレンズ２が保持手段３Ｂに保持され、光源素子１の微小な発光部が実質的に、保持手段３Ｂの球心に位置し、光源素子１が半導体レーザであって、光源素子１から放射される光ビームをカップリングするカップリングレンズ２の作用がコリメート作用である。
【００４７】
図２に示す参考例の実施の形態において、半導体レーザ１とカップリングレンズ２とは保持手段３Ｂに固定されているので、半導体レーザ１から放射され、カップリングレンズ２によりコリメートされた平行光ビームは、光ビーム射出用の開口部３Ｂ０から射出して、受け部材４Ｂの開口部を通過する。
【００４８】
保持手段３Ｂを、球面３Ｂ１１の受け部材４Ｂの円状係合縁部４Ｂ１１に係合させつつ、球面３Ｂ１１の中心の周りに回転調整することにより、保持手段３Ｂから射出する光ビームの方向を、図２（ｂ）に示すように、縦方向にも横方向にも調整できる。このとき、半導体レーザ１の微小な発光部は球面３Ｂ１１の球心に位置するので、光ビームの方向を「球心を中心として回転」するように調整することができる。
【００４９】
即ち、図２の参考例の光源ユニットでは、微小な発光部を有する光源素子から放射される光ビームの方向を調整する方法であって、少なくとも一部に球面３Ｂ１１を有する保持手段３Ｂにより、光源素子１を固定的に保持し、保持手段３Ｂの球面３Ｂ１１に係合する円状係合縁部４Ｂ１１を有する受け部材４Ｂに、球面３Ｂ１１を係合させ、この係合関係を保ちつつ、保持手段３Ｂを回転させることにより放射光ビームの方向を調整する光ビーム方向調整方法（参考例方法）が実施される。
【００５０】
光ビームの方向調整を行った後は、適宜の固定部材５Ｂにより、保持手段３Ｂと受け部材４Ｂとの位置関係を固定する。
上の実施の形態では、半導体レーザ１の微小な発光部を球面３Ｂ１１の球心に位置させたが、発光部を、上記球心から外して位置させることもできる。例えば、カップリングレンズ２の光軸が球心を通るようにし、微小な発光部が、球心から外れた位置で上記光軸上に位置するようにしても良い。
【００５１】
この場合も、カップリングレンズ２の作用をコリメート作用とすれば、図２の実施の形態と同様のビーム方向調整を行うことができる。
【００５２】
カップリングレンズ２のカップリング作用が、コリメート作用でない場合には、微小な発光部が球面３Ａ１１の球心位置にあるようにすると、発光部の位置を不変に保ちつつ、光ビームの方向のみを調整することができる。
【００５３】
また、上の説明では、半導体レーザ１から放射される光ビームが、受け部材４Ｂの開口部から射出するようにした場合を説明したが、半導体レーザ１から放射される光ビームの方向が、図２（ａ）の図面に直交する方向に成分を有するようにしてもよい。即ち、保持手段が球面を有する場合、受け部材と球面との係合位置は、光ビームの射出方向に対して側方であってもよい。
【００５４】
図３は、２本の光ビームの合成方法の１例を示している。
光源ユニット７は半導体レーザを光源とするものである。放射される光ビームは、ビーム合成プリズム９に入射する。ビーム合成プリズム９は、Ｐ偏光を透過させ、Ｓ偏光を反射する偏光透過膜９Ａを有している。光源ユニット７の光源である半導体レーザは「光源ユニット７から放射される光ビームが、偏光透過膜９Ａに対してＰ偏光となる」ように態位を設定されている。
【００５５】
従って、光源ユニット７から放射される光ビームは偏光透過膜９Ａを透過してビーム合成プリズム９から直進的に射出する。
【００５６】
光源ユニット８も半導体レーザを光源とするものであり、光源ユニット７と同様、放射される光ビームが偏光透過膜９Ａに対してＰ偏光となるように半導体レーザの態位を設定されている。
【００５７】
光源ユニット８から放射された光ビームは、１／２波長板９Ｃを透過して、偏光面を９０度旋回されて偏光透過膜９Ａに対してＳ偏光状態となり、プリズム面９Ｂで反射され、さらに偏光透過膜９Ａで反射されてビーム合成プリズム９から射出する。
【００５８】
図３の如き方法でビーム合成された光ビームを、マルチビーム走査において用いることができる。この場合、図３の面内において、上下方向が「副走査方向」に対応するものとすると、光源ユニット７、８として、図１に即して説明した如きものを用いれば、ビーム合成された各光ビームの方向を副走査方向に調整することができ、「被走査面上の光スポットの副走査方向の間隔、即ち、走査線ピッチ」を調整することができる。
【００５９】
また、光源ユニット７、８の一方もしくは双方に、図２に即して説明した如きものを用いると、被走査面上における２つの光スポットの位置関係を、主走査方向および副走査方向に調整することができる。
【００６０】
マルチビーム走査においては、複数の光ビームを合成せず、主走査方向に互いに角をなすようにして光偏向器へ入射させるようにする方式のものも知られているが、上に説明した図１や図２の光源ユニットは、このような方式のマルチビームの光源ユニットとしても勿論使用することができる。
【００６１】
図４は、マルチビーム走査装置を説明するための図である。
図４において、符号１０で示すマルチビーム走査用光源装置は、複数の光源から放射される光束を「マルチビーム走査用にビーム合成」して光ビーム群（図の繁雑を避けるため、１本の光ビームのみを示している）として射出させる。
光ビーム群は「光偏向器」である回転多面鏡１２により偏向され、「走査結像光学系」を構成する２枚のレンズ１４、１６により被走査面１８へ導光され、被走査面１８上に、副走査方向（図面に直交する方向）へ互いに分離した複数の光スポットを形成する。これら複数の光スポットにより被走査面１８が複数走査線同時に走査される。
【００６２】
マルチビーム走査用光源装置１０は、図３に示した如きものであり、その光源ユニットとして、図１に即して説明した如きものが用いられる。
【００６３】
即ち、図４のマルチビーム走査装置は、複数の光源からの複数の光ビームを偏向させ、共通の走査結像光学系により被走査面１８上に導光して、副走査方向に分離した複数の光スポットを形成し、これら複数の光スポットにより複数走査線を走査するマルチビーム走査装置であって、光ビームを放射する光源ユニットを、複数ユニット有し、これら複数の光源ユニットの１以上が請求項２〜６の任意の１に記載の光源ユニットであるもの(請求項７)である。
【００６４】
また、各光源ユニットから放射された光ビームを、マルチビーム用の光ビーム群としてビーム合成するビーム合成手段５を有する(請求項８)。
【００６５】
【発明の効果】
以上に説明したように、この発明によれば、新規な光ビーム方向調整方法、光源ユニット及びマルチビーム走査装置を実現できる。この発明の光源ユニットを用いる光ビーム方向調整方法は、上記の如く、放射される光ビームの方向を容易且つ確実に調整することができ、従って、この光源ユニットを用いるマルチビーム走査装置では、被走査面上における光スポット相互の位置関係、特に走査線ピッチを容易且つ確実に調整することができる。
【図面の簡単な説明】
【図１】光源ユニットの実施の１例を説明するための図である。
【図２】参考例の光源ユニットの実施の別例を説明するための図である。
【図３】光ビームのビーム合成の１例を説明するための図である。
【図４】マルチビーム走査装置の１例を要部のみ略示する図である。
【符号の説明】
１    半導体レーザ(光源)
２    カップリングレンズ
３Ａ、３Ｂ    保持手段
４Ａ、４Ｂ    受け部材
３Ａ１１      円筒面
３Ｂ１１      球面
４Ａ１１      １対の係合縁部
４Ｂ１１      円状係合縁部
【図１】
0004608122.tif 000002
【図２】
0004608122.tif 000003
【図３】
0004608122.tif 000004
【図４】
0004608122.tif 000005